(57)【特許請求の範囲】
【請求項１】
記録媒体に記録されている映像ストリームのアドレス情報と時間軸上の位置情報をリンクして前記映像ストリームの再生を管理するクリップファイルと、前記クリップファイルの開始時間情報と終了時間情報を管理するプレイリストファイルと、前記プレイリストの任意の時間の範囲を開始時間情報と終了時間情報として参照するデータを含むアイテムファイルと、入れ替え可能な複数の任意の前記アイテムファイルを含む仮想プレイリストファイルと、前記仮想プレイリストファイル内の連続する前方のアイテムファイルの終了時間付近と後方のアイテムファイルの開始時間付近をリンクしてシームレス再生を可能にする、前記クリップファイルであるブリッジクリップファイルを前記記録媒体から読み込み、記憶するファイル記憶手段と、
前記仮想プレイリストファイル内のアイテムファイルの再生順が変更された場合に、前記前方のアイテムファイルと前記後方のアイテムファイルの連続性が無くなったブリッジクリップファイルの有無を判断し、有った場合にそのブリッジクリップファイルを前記ファイル記憶手段から消去するブリッジクリップ消去手段とを備えた編集装置において、
前記ブリッジクリップファイルとシームレス再生するためのブリッジ用映像ストリームからなる、関連するブリッジクリップデータを保存するためのブリッジクリップデータ記憶手段と、
前記ブリッジクリップ消去手段により前記ファイル記憶手段から消去される前記ブリッジクリップファイルが元の前記仮想リストプレイリストファイル内のアイテムファイルからリンクを外された際に、その外されたブリッジクリップデータを前記ブリッジクリップデータ記憶手段に保存するブリッジクリップデータ保存手段と、
前記ブリッジクリップデータ記憶手段に記憶されている前記ブリッジクリップファイルを検索し、前記仮想プレイリストのアイテムファイルへのリンクを復活させるブリッジクリップデータ復元手段とを、
有することを特徴とする編集装置。
【請求項２】
前記ファイル記憶手段からアイテムファイルが消去された場合に、前記消去されたアイテムファイルとリンクする前記ブリッジクリップデータを前記ブリッジクリップデータ記憶手段から削除するブリッジクリップデータ削除手段を更に有することを特徴とする請求項１に記載の編集装置。
【請求項３】
前記ファイル記憶手段から前記仮想プレイリストファイルが消去された場合に、前記消去された前記仮想プレイリストファイルとリンクするブリッジクリップデータを前記ブリッジクリップデータ記憶手段から削除するブリッジクリップデータ削除手段を更に有することを特徴とする請求項１に記載の編集装置。
【請求項４】
前記ファイル記憶手段から前記プレイリストファイルの一部又は全部が消去された場合に、前記消去された前記プレイリストファイルの一部又は全部とリンクする前記ブリッジクリップデータを前記ブリッジクリップデータ記憶手段から削除するブリッジクリップデータ削除手段を更に有することを特徴とする請求項１に記載の編集装置。
【請求項５】
前記ブリッジクリップデータ記憶手段からブリッジクリップデータを削除する前に、そのブリッジクリップデータの内容を提示する削除ブリッジクリップデータ呈示手段を更に有することを特徴とする請求項１に記載の編集装置。
【発明の詳細な説明】
【技術分野】
【０００１】
本発明は、光ディスクに記録されたブリッジクリップファイルにより接続された映像ファイルを編集する編集装置に関する。
【背景技術】
【０００２】
従来、光ディスクに記録された映像データを編集する手段として、主にＭＰＥＧ（Moving Picture Experts Group）規格に則って圧縮されたStandard Definitionの映像や音声を繰り返し記録、再生、編集できるＤＶＤ−ＲＷディスクを扱えるＤＶＤレコーダが広く知られているが、最近では更に良い画質である、ＭＰＥＧ規格で圧縮されたHigh Definitionの映像や音声を繰り返し記録、再生、編集できるBlu-ray（登録商標）RE ディスクを扱えるＤＶＤレコーダーも認知され始めている。
【０００３】
Blu-ray（登録商標） REディスクに関しては、そのフォーマットが「Blu-ray（登録商標） Disc ReWitable Format」により規格化され、その内容の概略が下記の非特許文献１に記載されている。「Blu-ray（登録商標） Disc ReWitable Format」規格では、異なる内容のコンテンツをユーザが決められる再生順序に沿って連続再生させることが可能であり、異なる内容のコンテンツを連続再生する際にコンテンツとコンテンツの境目で映像出力時に不連続を発生させず、シームレスに再生を行うために、ブリッジクリップと呼ばれる特別なストリームファイルをレコーダに作成させて、これを利用することによりシームレスな再生を可能にしている。
【０００４】
ブリッジクリップを用いることなく、ＤＶＤディスク上の映像ストリームをシームレス再生する従来技術としては、下記の特許文献１に記載されているように、ユーザの編集動作により、不連続を発生させずに、ＤＶＤディスクに記録されているストリームデータの部分削除や、異なるフォーマットのストリームを不連続なしの結合を可能にする方法があった。
【非特許文献１】日経エレクトロニクス  ２０００．７．２１，第８５２号，ｐ１２５−ｐ１３８，「番組は Blu-ray（登録商標） Disc にどう格納されるのか」
【特許文献１】特許第３５６６２３４号（請求項１）
【発明の開示】
【発明が解決しようとする課題】
【０００５】
しかしながら、「Blu-ray（登録商標） Disc ReWitable Format」規格に則ったBlu-ray（登録商標） RE ディスクに記録されている、シームレス再生の為のブリッジクリップで結合された連続したコンテンツに関しては、ユーザ動作により、コンテンツ再生順序の連続性が変更されてしまうと、ブリッジクリップは不要となりディスク上から消去されていた。また、いったんディスク上から消去されてしまったブリッジクリップを復元させる方法は今までなかった。
【０００６】
ここで、例えば「Blu-ray（登録商標） Disc ReWitable Format」規格では、記録したストリームを再生・編集するために、以下のようなファイルが定義されている。
・ストリームが持つ膨大なタイムスタンプを反映し、時間軸上の点でストリームにアクセスすることを可能にするクリップファイルと、
・クリップを介してストリームを再生・編集するために、再生開始する時間軸上の点と、再生終了する時間軸上の点とを参照したデータを有し、再生するコンテンツの範囲を示すリアルプレイリストファイルと、
・リアルプレイリストの中で再生順に並び１個以上存在する連続した時間のファイルを示すリアルプレイリストのプレイアイテムファイルと、
・クリップを参照せず、クリップの開始位置と終了位置との間の任意の区間として、クリップを参照するリアルプレイリストの時間軸上の再生開始点と再生終了点を参照したデータを有し、リアルプレイリストのプレイアイテムを跨らない任意の場面だけを再生するのに使用されるバーチャルプレイリストファイルと、
・バーチャルプレイリストの中で再生順に並び、１個以上存在する、任意のリアルプレイリスト内のプレイアイテムを跨らない連続した任意の区間を参照し、リアルプレイリストが指す範囲内の任意の場面だけを再生することが可能な、バーチャルプレイリストのプレイアイテムファイルというファイルが定義されている。
【０００７】
バーチャルプレイリストのプレイアイテムは時間軸上の前後関係がばらばらなストリームを参照するため、連続する２つのプレイアイテムを再生しようとすると映像の画面出力が不連続となる場合がある。従来、この問題を避ける為に、「Blu-ray（登録商標） Disc ReWitable Format」規格ではバーチャルプレイリスト上の連続するプレイアイテムを再生する場合を考慮し、あらかじめ前方プレイアイテムの終わりの部分と、後方プレイアイテムの始まりの部分とをコピーして、映像出力時に不連続を生じさせない為の映像ストリームを作成し、その映像ストリームを反映するクリップファイルであるブリッジクリップファイルを作成してもよいことが記述されている。
【０００８】
同じバーチャルプレイリスト内にある連続するプレイアイテムを跨って再生する場合には、前方プレイアイテムから再生し、プレイアイテムの境目の直前にあるブリッジクリップのリンク点にリンクし、ブリッジクリップファイルを再生し、ブリッジクリップファイルの再生終了点で後方プレイアテムの開始位置の直後にあるリンク点にリンクすることにより、不連続のない映像を出力することを可能にしている。
【０００９】
しかし、バーチャルプレイリスト内で、ブリッジクリップにより結合されている連続するプレイアイテムを再生する順番が、ユーザの操作ミスなどにより、変更された場合には、ブリッジクリップは必要なくなるので、再生順変更操作前にバーチャルプレイリストの連続していたプレイアイテムからリンクを外され、せっかく利便性を高めるために存在している結合用の映像ストリームと共にブリッジクリップファイルは消去されてしまう。その後、再び２つのプレイアイテムが元の連続する再生順の並びに戻されても、そのブリッジクリップファイルは消去されているため、再生しても画面上に不連続が発生する可能性が高くなり、見た目の美しさが低下するという課題があった。
【００１０】
そこで、本発明は、ユーザの誤動作によって、ブリッジクリップで結合されているバーチャルプレイリスト内のプレイアイテムのシームレスな連続再生が不可能になってしまうことを防ぐことができる編集装置を提供することを目的とする。
【課題を解決するための手段】
【００１１】
本発明は上記目的を達成するために、記録媒体に記録されている映像ストリームのアドレス情報と時間軸上の位置情報をリンクして前記映像ストリームの再生を管理するクリップファイルと、前記クリップファイルの開始時間情報と終了時間情報を管理するプレイリストファイルと、前記プレイリストの任意の時間の範囲を開始時間情報と終了時間情報として参照するデータを含むアイテムファイルと、入れ替え可能な複数の任意の前記アイテムファイルを含む仮想プレイリストファイルと、前記仮想プレイリストファイル内の連続する前方のアイテムファイルの終了時間付近と後方のアイテムファイルの開始時間付近をリンクしてシームレス再生を可能にする、前記クリップファイルであるブリッジクリップファイルを前記記録媒体から読み込み、記憶するファイル記憶手段と、
前記仮想プレイリストファイル内のアイテムファイルの再生順が変更された場合に、前記前方のアイテムファイルと前記後方のアイテムファイルの連続性が無くなったブリッジクリップファイルの有無を判断し、有った場合にそのブリッジクリップファイルを前記ファイル記憶手段から消去するブリッジクリップ消去手段とを備えた編集装置において、
前記ブリッジクリップファイルとシームレス再生するためのブリッジ用映像ストリームからなる、関連するブリッジクリップデータを保存するためのブリッジクリップデータ記憶手段と、
前記ブリッジクリップ消去手段により前記ファイル記憶手段から消去される前記ブリッジクリップファイルが元の前記仮想リストプレイリストファイル内のアイテムファイルからリンクを外された際に、その外されたブリッジクリップデータを前記ブリッジクリップデータ記憶手段に保存するブリッジクリップデータ保存手段と、
前記ブリッジクリップデータ記憶手段に記憶されている前記ブリッジクリップファイルを検索し、前記仮想プレイリストのアイテムファイルへのリンクを復活させるブリッジクリップデータ復元手段とを、
有すること特徴とする。
【発明の効果】
【００１２】
本発明によれば、バーチャルプレイリスト内で、ブリッジクリップにより結合されている連続するプレイアイテムを再生する順番が変更された場合に、ブリッジクリップデータを記憶しておくので、ユーザの操作によってプレイアイテムの順番が元に戻されたときに、ブリッジクリップデータも元の状態に戻すことにより、バーチャルプレイリスト内のプレイアイテムのシームレスな連続再生を復元できる。また、バーチャルプレイリスト内のプレイアイテムに対するユーザの操作ミスをカバーすることができるという効果を得ることができる。
さらに、例えば「Blu-ray（登録商標） Disc ReWitable Format」規格ではブリッジクリップを作成する手段は必須では無いため、利用する機器によってはストリームを合成するチップの性能などの問題により、一度消去されたブリッジクリップは二度と作成されることはなくなる可能性が高いが、本発明により、ブリッジクリップを作成する手段を持たない機器が、ほかの機器で作成されたブリッジクリップを消去してしまうことを防止する効果がある。
【発明を実施するための最良の形態】
【００１３】
以下、図面を参照して本発明の実施の形態について説明する。図１〜図８は本発明に係る編集装置の一実施の形態が扱うファイル構造を示す説明図である。
【００１４】
＜ファイル構造＞
本発明で扱うファイルの概念の例として、高精細な動画像を録画・再生・編集を可能とするブルーレイ（登録商標）規格で定義されたファイルがある。以下に本発明で扱うファイルの詳細な内容の例を示す。本発明で扱うファイルには、図１に示すクリップファイルＦ１（Clip１）と、図２に示すプレイリストファイルＦ２（Playlist1）と、図３に示すアイテムファイルＦ３（Item1、Item2、Item3、Item4）と、図４に示す仮想プレイリストファイルＦ４（Item1、Item2、Item3、Item4）と、図５に示すブリッジクリップファイルＦ５（BridgeClip1）とがある。
【００１５】
図１に示すクリップファイルＦ１は、光ディスクに記録されて再生可能な映像ストリームデータＳ０に対して、光ディスク上の個々の映像ストリームＳ０（Stream1、Stream2）を識別し、映像ストリームＳ０のビットデータとしての位置情報と、映像ストリームＳ０の時間軸上の相対的な位置情報とをリンクして管理し、映像ストリームと１：１に対応するデータファイルである。クリップファイルＦ１は、映像ストリームＳ０の相対時間と映像・音声の位置関係をリンクしたデータの集合体のデータであり、編集機器はクリップファイルＦ１から映像ストリームＳ０の編集位置を求め、映像ストリームＳ０の時間軸データとビットデータをリンクさせたデータを管理する（例えば開始位置から５分２５秒後のビット位置は先頭から１２３４５６７８ビット目というふうに）。クリップファイルＦ１が有するデータは、
・映像ストリームＳ０のユニークな識別子と、
・映像ストリームＳ０の時間軸上の位置と、映像ストリームＳ０のデータ上のビット位置をリンクしたデータ（１映像単位ごと）
である。
【００１６】
図２に示すプレイリストファイルＦ２は、クリップファイルＦ１の時間軸上の相対的な開始位置情報を参照するデータ （以下、再生開始参照点）と、クリップファイルＦ１の時間軸上の相対的な終了位置情報を参照するデータ （以下、再生終了参照点）とを有し、再生開始参照点と再生終了参照点の間の時間軸上の相対的な位置情報を元に編集を加えることによりクリップファイルＦ１及び映像ストリームＳ０にその編集内容を反映させることが可能なデータファイルである。プレイリストファイルＦ２は、クリップファイルＦ１と１：１に対応し、クリップファイルＦ１の時間軸上の開始位置と時間軸上の終了位置を有するファイルであり、編集機器は開始位置と時間軸上の終了位置を持つこのファイルＦ２からリンクしているクリップファイルＦ１のビットデータ位置を求め、映像ストリームＳ０上の編集位置を算出する。プレイリストファイルＦ２に施す、削除、部分削除の編集はクリップファイルＦ１に反映し、更に映像ストリームＳ０に反映する。プレイリストファイルＦ２が有するデータは
・クリップファイルＦ１のユニークな識別子と、
・クリップファイルＦ１の開始時間と終了時間
である。
【００１７】
図３に示すアイテムファイルＦ３は、クリップファイルＦ１の任意の区間を再生する目的で、クリップファイルＦ１の内容を反映したプレイリストファイルＦ２の再生開始参照点と再生終了参照点との間に存在する時間軸上の相対的な位置情報を、再生を開始する位置情報として参照するデータ（以下、仮想再生開始参照点）と、プレイリストファイルＦ２の再生開始参照点と再生終了参照点との間に存在し、なおかつ、仮想再生開始参照点より後方に存在する時間軸上の相対的な位置情報を、再生を終了する位置情報として参照するデータ （以下、仮想再生終了参照点）と、後述するブリッジクリップファイルＦ５が必要な場合にブリッジクリップファイルＦ５をリンクするデータ（以下、ブリッジクリップリンクデータ）を有するデータファイルである。
【００１８】
アイテムファイルＦ３は、プレイリストファイルＦ２の開始位置と終了位置との範囲内の時間軸上の相対的な位置を開始位置と終了位置として参照だけするファイルであり、アイテムファイルＦ３が有するデータは、
・プレイリストファイルＦ２のユニークな識別子と、
・プレイリストファイルＦ２の範囲内にある時間を参照する開始時間と終了時間と、
・連続するアイテムファイルＦ３のうち、前方のアイテムファイルＦ３とブリッジクリップファイルＦ５との結合の有無を示すフラグと、
・ブリッジクリップファイルＦ５の結合がある場合には、ブリッジクリップファイルＦ５のユニークな識別子と、
・ブリッジクリップファイルＦ５の結合がある場合には、アイテムファイルＦ３を結合する映像ストリーム（ブリッジ用映像ストリーム）のユニークな識別子
である。
【００１９】
図４に示す仮想プレイリストファイルＦ４は、１個以上の任意のアイテムファイルＦ３を順番を付けて管理し、その順番を任意に入れ替えることを可能とするデータファイルである。仮想プレイリストファイルＦ４は、アイテムファイルＦ３の集合体で、編集してもクリップファイルＦ１には反映されない。再生はアイテム単位で行い、仮想プレイリストファイルＦ４で管理する順番で連続してアイテムファイルＦ３を再生することも可能である。また、アイテムファイルＦ３の順番（再生順）を変更することも可能である。アイテムファイルＦ３が必ずしも連続した映像ストリームＳを指すとは限らないので、仮想プレイリストファイルＦ４のアイテムファイルＦ３を連続再生させるとアイテムファイルＦ３を跨って再生する箇所で画面の繋がりが無い場合には映像出力時に不連続（画面の乱れや一時停止）が発生する可能性がある。図４では、どのアイテムファイルＦ３を跨って再生する場合にも不連続が発生する可能性がある。
【００２０】
図５に示すブリッジクリップファイルＦ５は、同一仮想プレイリストファイルＦ４上で、再生する順番で管理されている任意の連続する２つのアイテムファイルＦ３において、その２つのアイテムファイルＦ３がクリップファイルＦ１の時間軸上では連続していない場合に、再生時に出力される画面に不連続を生じさせないためにあらかじめ作成され、再生順の前方にあるアイテムファイルＦ３が参照している再生終了参照点に近い部分から前にあるアイテムファイルＦ３の再生終了参照点までに相当する映像ストリームと、再生順の後方にあるアイテムファイルの再生開始参照点から再生終了参照点に近い部分までに相当する映像ストリームとをコピーして画面に不連続が発生しないように結合した１つの映像ストリームの再生開始参照点と再生終了参照点を有するクリップファイルである。
【００２１】
図５において、アイテムファイル２とアイテムファイル３を連続再生する際に画面上に不連続を生じさせないためにアイテムファイル２が指すストリームの終了位置付近のストリームとアイテムファイル３が指すストリームの開始位置付近のストリームをシームレスに画面出力するよう作成されたブリッジ用映像ストリームＳ１が用意されている場合がある。そのブリッジ用映像ストリームＳ１の相対時間と映像・音声の位置関係をリンクしたデータの集合体のデータがブリッジクリップファイルＦ５である。ブリッジクリップファイルＦ５が有するデータは、
・映像ストリームＳ０のユニークな識別子と、
・ブリッジ用映像ストリームＳ１の時間軸上の位置と、ブリッジ用映像ストリームＳ１のデータ上のビット位置をリンクしたデータ
である。
【００２２】
図６に、本システムに関連するファイルＦ１〜Ｆ５の関係を示す。また、図７（ａ）は、ブリッジクリップファイルＦ５で結合されたアイテムファイル２と３を連続再生する場合を示し、図７（ｂ）はアイテムファイル２と３の再生順序が変更された後に連続再生する場合を示す。また、図８はアイテムファイル２と３のブリッジクリップファイルＦ５のデータ例を示し、ブリッジクリップデータは、
・光ディスクのユニークな識別子と、
・仮想プレイリストファイルＦ４のユニークな識別子と、
・前方のアイテムファイルＦ３（アイテムファイル２）の再生開始参照点と再生終了参照点と、
・後方のアイテムファイルＦ３（アイテムファイル３）の再生開始参照点と再生終了参照点と、
・ブリッジクリップファイルＦ５のユニークな識別子と、
・ブリッジクリップファイルＦ５と、
・ブリッジクリップファイルＦ５の映像ストリームＳ０のユニークな識別子と、
・ブリッジクリップファイルＦ５の映像ストリームＳ０
により構成される。
【００２３】
＜第１の実施の形態＞
図９は第１の実施の形態の編集装置を示すブロック図である。本発明の編集装置１００は既存の光ディスクレコーダが有する以下の手段も有する。すなわち、光ディスクへの物理的アクセスを行う既存の手段である光ディスクドライブ１０１と、光ディスクへの読み書きを可能にする既存の手段である光ディスク読み書き手段１０２と、光ディスクから読み込んだファイルを記憶しておく既存の手段であるファイル記憶手段１０３と、ファイル記憶手段１０３に読み込まれている任意の仮想プレイリストファイルＦ４を選択し、その中のアイテムファイルＦ３の再生順を入れ替える既存の手段であるアイテムファイル再生順変更手段１０５と、アイテムファイルＦ３の再生順が変更されたことにより連続性がなくなりブリッジクリップファイルＦ５は不要と判断し、不要と判定されたブリッジクリップファイルＦ５をファイル記憶手段１０３から消去する既存の手段であるブリッジクリップ消去手段１０６である。
【００２４】
本システムを実現させるための、編集装置１００がアクセス可能な理想的な光ディスク上のファイル構成は以下の通り。
・１個以上の映像ストリームＳ０と、
・１個以上のクリップファイルＦ１と、
・１個以上のプレイリストファイルＦ２と、
・１個以上の仮想プレイリストファイルＦ４と、
・同一仮想プレイリストファイルＦ４上の複数のアイテムファイルＦ３と、
・上記同一仮想プレイリストファイルＦ４上の複数アイテムファイルＦ３のうち、連続する２つのアイテムファイルＦ３を結合するブリッジクリップファイルＦ５と、
・上記ブリッジクリップファイルＦ５に対応する映像ストリームＳ０
が存在すること。
【００２５】
本システムの目的であるブリッジクリップファイルＦ５の復元のために、アイテムファイルＦ３の再生順序変更によりリンクが外れたブリッジクリップファイルＦ５を保存する際に、編集装置１００がブリッジクリップデータ記憶手段１０９に保存するブリッジクリップファイルＦ５のデータ例は以下の通り。
・光ディスクをユニークに識別する識別子と、
・仮想プレイリストファイルＦ４をユニークに識別する識別子と、
・前方のアイテムファイルＦ３の再生開始参照点と再生終了参照点と、
・後方のアイテムファイルＦ３の再生開始参照点と再生終了参照点と、
・ブリッジクリップファイルＦ５の識別番号と、
・ブリッジクリップファイルＦ５と、
・ブリッジクリップファイルＦ５の映像ストリームＳ０
【００２６】
図９に示すシステムは以下の性質を持つファイルを扱うことが前提である。図１から図５までで説明されている各ファイルＦ１〜Ｆ５は図６で説明した依存関係にある。これらファイルＦ１〜Ｆ５のうち、ブリッジクリップファイルＦ５（図５で説明）は、仮想プレイリストファイルＦ４（図４で説明）が内包しているアイテムファイルＦ３（図３で説明）のうち、あらかじめ特定の順番で連続再生する場合にあらかじめ用意されているファイルであり、連続再生する前方のアイテムファイルＦ３と後方のアイテムファイルＦ３をシームレスに映像出力するためのファイルである。そして、そのアイテムファイルＦ３を再生する順番は、仮想プレイリストファイルＦ４が管理している順番でもあり、この順番はユーザが変更することも可能である。しかし、ユーザがブリッジクリップファイルＦ５によって結合された連続する再生順にあるアイテムファイルＦ３を連続しない再生順に変更してしまうと、図７（ｂ）で説明したようにブリッジクリップファイルＦ５は不要となってしまう。
【００２７】
図９に示す編集装置１００は、前述した既存の光ディスクドライブ１０１、光ディスク読み書き手段１０２、光ディスクから読み込んだファイルを記憶しておくファイル記憶手段１０３、アイテムファイル再生順変更手段１０５及びブリッジクリップ消去手段１０６のほかに、ブリッジクリップデータ記憶手段１０９と、ブリッジクリップ必要性判定手段１０４と、ブリッジクリップ保存処理手段１０７と、ブリッジクリップデータ復元手段１０８とを有している。
【００２８】
ブリッジクリップデータ記憶手段１０９は、２つの連続するアイテムファイルＦ３を結合するブリッジクリップファイルＦ５に関するブリッジクリップデータ（図８で説明）をデータベースとして保存可能である。ブリッジクリップ必要性判定手段１０４は、ブリッジクリップファイルＦ５で接続されている、同一仮想プレイリストファイルＦ４の連続したアイテムファイルＦ３が不連続な順番に変更された場合、アイテムファイルＦ３の再生順が変更されたことにより連続性がなくなりブリッジクリップファイルＦ５が不要になったことを判断し、ブリッジクリップデータ保存処理手段１０７を実行する。
【００２９】
ブリッジクリップ保存処理手段１０７は、該当のブリッジクリップファイルＦ５を元の仮想リストプレイリストファイルＦ４のアイテムファイルＦ３からリンクを外し、不連続となり、不必要となったブリッジクリップデータＦ５をブリッジクリップデータ記憶手段１０９に記憶させる。ブリッジクリップデータ復元手段１０８は、いったん不連続となった同一仮想プレイリストファイルＦ４内の元の連続する２つのアイテムファイルＦ３が、アイテムファイルＦ３自体に編集が加えられることなく、再び連続する再生順に戻った場合に、２つのアイテムファイルＦ３の識別番号と再生開始参照点と再生終了参照点から、ブリッジクリップデータ記憶手段１０９に記憶されているブリッジクリップデータより、該当するブリッジクリップファイルＦ５を検索し、仮想プレイリストのアイテムファイルＦ３へのリンクを復活させる。
【００３０】
図９における経路Ｐ１は、光ディスクに記録されているデータを読み取る経路、及び光ディスクにデータの記録またはデータの変更を行う経路である。経路Ｐ２は、光ディスクから読み込んだデータ（ファイル）をファイル記憶手段１０３に記憶する経路、及びファイル記憶手段１０３上で変更、削除されたデータ（ファイル）を光ディスクに書き込む経路である。経路Ｐ３は、ユーザからのアイテムファイル再生順変更動作を受け付ける経路、経路Ｐ４は、再生順変更後のアイテムファイルＦ３の連続性を判定する経路である。経路Ｐ５は、連続性の変更がある場合に、ブリッジクリップを外して保存動作を行う経路、経路Ｐ６は、ブリッジクリップデータをブリッジクリップデータ記憶手段１０９に書き込む経路である。
【００３１】
経路Ｐ７は、連続性の復活がある場合にブリッジクリップの再リンク動作を行う経路、経路Ｐ８は、ブリッジクリップデータ記憶手段１０９に記憶されているブリッジクリップデータを読み出す経路である。経路Ｐ９は、連続性の変更がある場合に、ファイル記憶手段１０３に記憶されているアイテムファイルＦ３を、ブリッジクリップを外した形態に更新する経路、経路Ｐ１０は、連続性の復活がある場合に、ファイル記憶手段１０３に記憶されているアイテムファイルＦ３を、ブリッジクリップがリンクされた形態に更新する経路である。経路Ｐ１１は、ブリッジクリップファイルＦ５がリンクされているアイテムファイルＦ３の連続性が無くなった場合、光ディスク上のブリッジクリップファイルＦ５を削除する経路、経路Ｐ１２は、ファイル記憶手段１０３に記憶され、ブリッジクリップがリンクしているアイテムファイルＦ３からブリッジクリップファイルＦ５のリンクを外し、ブリッジクリップファイルＦ５を削除する経路である。
【００３２】
以下にブリッジクリップファイルＦ５で結合されたアイテムファイルＦ３の再生順序がユーザに変更されたときの動作と、ユーザにより、いったん変更された再生順序が元に戻されたときの動作を述べる。この動作におけるファイル構成を図１０〜図１２に示す。図１０は光ディスクから各ファイルを読み込んだとき、図１１は図１０において光ディスクから読み込まれたアイテムファイルＦ３の再生順序が変更されたとき、図１２は図１１において再生順序を変更されたアイテムファイルＦ３が元の順序に戻ったときを示す。図１０〜図１２の編集装置１００は図９と同じものであるが、ファイル構成が分かりやすいように、ファイル記憶手段１０３とブリッジクリップデータ記憶手段１０９のみを切り出して記述してある。
【００３３】
まず、ユーザからの仮想プレイリストファイルＦ４（図１０のＶＰＬ１）内の連続するアイテムファイルＦ３（図１０のItem2とItem3）の再生順を逆にする動作を、アイテムファイル再生順変更手段１０５で受け付け（図９の経路Ｐ３、図１１でのユーザからのItem2とItem3の入れ替え動作）、これを実行する（図１１のファイル記憶手段１０３でItem3とItem2が入れ替わっている：処理１）。アイテムファイル再生順変更手段１０５は、実行した結果を引数としてブリッジクリップ必要性判定手段１０４を起動し、ブリッジクリップ必要性判定手段１０４はアイテムファイルの再生順が変更されたことにより、ブリッジクリップファイルが不要となったことを認識する（図９の経路Ｐ４、図１１のファイル記憶手段１０３で、BridgeClip1のリンクが外れている）。このときItem2のブリッジクリップファイルリンク有無フラグは無しに設定される（図８参照）。
【００３４】
ブリッジクリップ必要性判定手段１０４は、リンクから外れたブリッジクリップファイル（図１１のBridgeClip1）のブリッジクリップデータ（図８参照）を引数としてブリッジクリップ保存処理手段１０７を起動する（図９の経路Ｐ５）。ブリッジクリップ保存処理手段１０７はファイル記憶手段１０３のブリッジクリップデータをブリッジクリップデータ記憶手段１０９にコピーする（図９の経路Ｐ６、Ｐ９、図１１のブリッジクリップデータ記憶手段１０９にクリップデータがコピーされている：処理２）。ブリッジクリップ必要性判定手段１０４は、光ディスクＤ上にブリッジクリップファイルＦ５を残さないために、ブリッジクリップ消去手段１０６を起動し、ファイル記憶手段１０３に未だ存在しているブリッジクリップファイル（図１１のBridgeClip1）を消去する（図９の経路Ｐ１１、Ｐ１２、図１１の処理２）。この段階で、ブリッジクリップファイルＦ５は保存されているが、Item3とItem2を連続再生してもブリッジクリップは存在しないため、Item3とItem2を跨って再生するときには画面に乱れが生じたりポーズ（Pause）がかかったりする。
【００３５】
この後、ユーザからの仮想プレイリストファイル（図１２のＶＰＬ１）内のいったん再生順序が変更されたアイテムファイル（図１２のItem2とItem3）が元の順番に戻す動作を、アイテムファイル再生順変更手段１０５で受け付け（図９の経路Ｐ３、図１２でのユーザからのItem2とItem3を元に戻す動作）、これを実行する（図１２のファイル記憶手段１０３でItem3とItem2が入れ替わっている：処理１）。アイテムファイル再生順変更手段１０５は、実行した結果を引数としてブリッジクリップ必要性判定手段１０４を起動し、ブリッジクリップ必要性判定手段１０４はアイテムファイル（Item2とItem3）の再生順が変更されたことと、ブリッジクリップデータ記憶手段１０９に記憶されているブリッジクリップデータの検索結果から、ブリッジクリップファイル（BridgeClip1）の必要性が復活したことを認識する（図９の経路Ｐ４）。
【００３６】
ブリッジクリップ必要性判定手段１０４は、ブリッジクリップデータ記憶手段１０９に記憶されているブリッジクリップデータ（BridgeClip1）を元の再生順序の戻ったアイテムファイル（Item2とItem3）にリンクさせるために、ブリッジクリップデータ復元手段１０８を起動する（図９の経路Ｐ７）。ブリッジクリップデータ復元手段１０８は、ブリッジクリップデータ記憶手段１０９に記憶されているブリッジクリップ（BridgeClip1）をファイル記憶手段１０３に移動させ、元のリンク状態に復元する（図９の経路Ｐ８、Ｐ１０、図１２のファイル記憶手段１０３のファイル構成参照、処理２、３）。このときItem2のブリッジクリップファイルリンク有無フラグは有りに設定される（図８参照）。この段階で、ブリッジクリップファイル（BridgeClip1）の復元が終了する。Item2とItem3を連続再生すると、ブリッジクリップファイル（BridgeClip1）が復元しているため、Item2とItem3を跨って再生するときにはシームレスに画面出力される。
【００３７】
＜第２の実施の形態＞
図１３は、本発明の第２の実施の形態の編集装置２００を示し、編集装置２００は図９に示す構成（１０１〜１０９）のほかに、アイテムファイル削除手段２１１とアイテムファイル削除依存ブリッジクリップ削除判定手段２１０が追加されている。アイテムファイル削除手段２１１は仮想プレイリストファイルＦ４が内包するアイテムファイルＦ３を削除する既存の手段である。アイテムファイル削除依存ブリッジクリップ削除判定手段２１０は第２の実施の形態の特有の手段として、アイテムファイルＦ３が削除されたときに、ブリッジクリップデータ記憶手段１０９に記憶されているブリッジクリップファイルＦ５にリンクしていたアイテムファイルＦ３かどうかを判定する。なお、経路Ｐ１〜Ｐ１２のほかに、経路Ｐ１３−１は、ユーザからのアイテムファイル削除動作を受け付ける経路、経路Ｐ１４−１は、削除されたアイテムファイルＦ３が、ブリッジクリップデータ記憶手段１０９に記憶されているブリッジクリップファイルＦ５とリンクしているものかどうかの判定を行う経路、経路Ｐ１５−１は、削除されたアイテムファイルＦ３がブリッジクリップデータ記憶手段１０９に記憶してあるブリッジクリップファイルＦ５とリンクしている場合、再生順の連続性を復活することは不可能となるので、ブリッジクリップデータ記憶手段１０９に記憶されている該当のブリッジクリップファイルＦ５を削除する経路である。
【００３８】
このシステムはブリッジクリップファイルＦ５にリンクしている、連続するアイテムファイルＦ３の再生順を変更する処理までは第１の実施の形態と同様である。よって、図１２のファイル記憶手段１０３上のファイル構成の状態からの処理を以下に述べる。また、この動作におけるファイル構成を図１４に示す。ファイル構成の初期状態は図１１に相当する。図１４の編集装置２００は図１３と同じものであるが、ファイル構成が分かりやすいように、ファイル記憶手段１０３とブリッジクリップデータ記憶手段１０９のみを切り出して記述してある。
【００３９】
連続するアイテムファイルＦ３の再生順が変更（図１１のItem2とItem3が入れ替わっている）され、ブリッジクリップデータ記憶手段１０９にブリッジクリップファイル（図１１のBridgeClip1）が記憶されている状態で、ユーザからの仮想プレイリストファイル（図１１のＶＰＬ１）内のアイテムファイル（図１１のItem2）を削除する動作を、アイテムファイル削除手段２１１で受け付け（図１３の経路Ｐ１３−１、図１４でのユーザからのItem2の削除動作）、これを実行する（図１４のファイル記憶手段１０３でItem2が削除されている：処理１）。
【００４０】
アイテムファイル削除依存ブリッジクリップ削除判定手段２１０は、削除されたアイテムファイル（Item2）がブリッジクリップデータ記憶手段１０９に記憶されているブリッジクリップファイル（BridgeClip1）にリンクするものかどうかを判定するために、削除されたアイテムファイル（Item2）の識別子を引数とし、アイテムファイル削除依存ブリッジクリップ削除判定手段２１０を起動する（図１３の経路Ｐ１４−１）。アイテムファイル削除依存ブリッジクリップ削除判定手段２１０は、削除されたアイテムファイル（Item2）がブリッジクリップデータ記憶手段１０９に記憶されているブリッジクリップファイル（BridgeClip1）にリンクするものかどうかを判定し、リンクするものであればブリッジクリップデータ記憶手段１０９に記憶されている該当するブリッジクリップファイル（BridgeClip1）を削除する（処理３、図１３の経路Ｐ１５−１）。
【００４１】
＜第３の実施の形態＞
図１５は第３の実施の形態の編集装置３００を示し、編集装置３００は、図９に示す構成（１０１〜１０９）のほかに、仮想プレイリスト削除手段３１１と仮想プレイリスト削除依存ブリッジクリップ削除判定手段３１０が追加されている。仮想プレイリスト削除手段３１１は、アイテムファイルＦ３を内包する仮想プレイリストファイルＦ４を削除する既存の手段である。仮想プレイリスト削除依存ブリッジクリップ削除判定手段３１０は、第３の実施の形態の特有の手段として、仮想プレイリストファイルＦ４が削除されたときに、ブリッジクリップデータ記憶手段１０９に記憶されているブリッジクリップファイルＦ５にリンクしていたアイテムファイルＦ３を内包する仮想プレイリストファイルＦ４かどうかを判定する。
【００４２】
また、経路Ｐ１〜Ｐ１２のほかに、経路Ｐ１３−２はユーザからの仮想プレイリストファイル削除動作を受け付ける経路、経路Ｐ１４−２は、削除された仮想プレイリストファイルＦ４が、ブリッジクリップデータ記憶手段１０９に記憶されているブリッジクリップファイルＦ５とリンクしている仮想プレイリストファイルＦ４かどうかの判定を行う経路、経路Ｐ１５−２は、削除された仮想プレイリストファイルＦ４がブリッジクリップデータ記憶手段１０９に記憶してあるブリッジクリップファイルＦ５とリンクしている場合、再生順の連続性を復活することは不可能となるので、ブリッジクリップデータ記憶手段１０９に記憶されている該当のブリッジクリップファイルＦ５を削除する経路である。
【００４３】
このシステムはブリッジクリップファイルＦ５にリンクしている、連続するアイテムファイルの再生順を変更する処理までは第１の実施の形態と同様である。よって、図１２のファイル記憶手段１０３上のファイル構成の状態からの処理を以下に述べる。また、この動作におけるファイル構成を図１６に示す。ファイル構成の初期状態は図１１に相当する。図１６の編集装置３００は図１５と同じものであるが、ファイル構成が分かりやすいように、ファイル記憶手段１０３とブリッジクリップデータ記憶手段１０９のみを切り出して記述してある。
【００４４】
連続するアイテムファイルＦ３の再生順が変更（図１１のItem2とItem3が入れ替わっている）され、ブリッジクリップデータ記憶手段１０９にブリッジクリップファイル（図１１のBridgeClip1）が記憶されている状態で、ユーザからの仮想プレイリストファイル（図１１のＶＰＬ１）を削除する動作を、仮想プレイリスト削除手段３１１で受け付け（図１５の経路Ｐ１３−２、図１６でのユーザからのＶＰＬ１の削除動作）、これを実行する（図１６のファイル記憶手段１０３でＶＰＬ１が削除されている：処理１）。
【００４５】
仮想プレイリスト削除手段３１１は、削除された仮想プレイリストファイル（ＶＰＬ１）がブリッジクリップデータ記憶手段１０９に記憶されているブリッジクリップファイル（BridgeClip1）にリンクするものかどうかを判定するために、削除された仮想プレイリストファイル（ＶＰＬ１）の識別子を引数とし、仮想プレイリスト削除依存ブリッジクリップ削除判定手段３１０を起動する（図１５の経路Ｐ１４−２）。仮想プレイリスト削除依存ブリッジクリップ削除判定手段３１０は、削除された仮想プレイリストファイル（ＶＰＬ１）がブリッジクリップデータ記憶手段１０９に記憶されているブリッジクリップファイル（BridgeClip1）にリンクするものかどうかを判定し、リンクするものであればブリッジクリップデータ記憶手段１０９に記憶されている該当するブリッジクリップファイル（BridgeClip1）を削除する（処理３、図１５の経路Ｐ１５−２）。
【００４６】
＜第４の実施の形態＞
図１７は第４の実施の形態の編集装置４００を示し、編集装置４００は図９に示す構成（１０１〜１０９）のほかに、プレイリスト全体削除手段４１１とプレイリスト全体削除依存ブリッジクリップ削除判定手段４１０が追加されている。プレイリスト全体削除手段４１１は仮想プレイリストファイルＦ４が内包するアイテムファイルＦ３が参照しているプレイリストファイルＦ２を全体削除する既存の手段である。プレイリスト全体削除依存ブリッジクリップ削除判定手段４１０は、第４の実施の形態の特有の手段として、プレイリストファイルＦ２が全体削除されたときに、ブリッジクリップデータ記憶手段１０９に記憶されているブリッジクリップファイルＦ５にリンクしていたアイテムファイルＦ３が参照しているプレイリストファイルＦ２かどうかを判定する。
【００４７】
また、経路Ｐ１〜Ｐ１２のほかに、経路Ｐ１３−３は、ユーザからのプレイリスト全体削除動作を受け付ける経路、経路Ｐ１４−３は、全体削除されたプレイリストファイルＦ２が、ブリッジクリップデータ記憶手段１０９に記憶されているブリッジクリップファイルＦ５とリンクしている仮想プレイリストファイルＦ４が参照しているものかどうかの判定を行う経路、経路Ｐ１５−３は、全体削除されたプレイリストファイルＦ２がブリッジクリップデータ記憶手段１０９に記憶してあるブリッジクリップファイルＦ５とリンクしているプレイリストファイルＦ２だった場合、再生順の連続性を復活することは不可能となるので、ブリッジクリップデータ記憶手段１０９に記憶されている該当のブリッジクリップファイルＦ５を削除する経路である。
【００４８】
このシステムはブリッジクリップファイルＦ５にリンクしている、連続するアイテムファイルＦ３の再生順を変更する処理までは第１の実施の形態と同様である。よって、図１２のファイル記憶手段１０３上のファイル構成の状態からの処理を以下に述べる。また、この動作におけるファイル構成を図１８に示す。ファイル構成の初期状態は図１１に相当する。図１８の編集装置４００は図１７と同じものであるが、ファイル構成が分かりやすいように、ファイル記憶手段１０３とブリッジクリップデータ記憶手段１０９のみを切り出して記述してある。
【００４９】
連続するアイテムファイルＦ３の再生順が変更（図１１のItem2とItem3が入れ替わっている）され、ブリッジクリップデータ記憶手段１０９にブリッジクリップファイル（図１１のBridgeClip1）が記憶されている状態で、ユーザからのプレイリストファイル（図１１のPlaylist2）を全体削除する動作を、プレイリスト全体削除手段４１１で受け付け（図１７の経路Ｐ１３−３、図１８でのユーザからのPlaylist2の全体削除動作）、これを実行する（図１８のファイル記憶手段１０３でPlaylist2が全体削除されている：処理１）。
【００５０】
プレイリスト全体削除手段４１１は、全体削除されたプレイリストファイル（Playlist2）がブリッジクリップデータ記憶手段１０９に記憶されているブリッジクリップファイル（BridgeClip1）にリンクするものかどうかを判定するために、全体削除されたプレイリストファイル（Playlist2）の識別子を引数とし、プレイリスト全体削除依存ブリッジクリップ削除判定手段４１０を起動する（図１７の経路Ｐ１４−３）。プレイリスト全体削除依存ブリッジクリップ削除判定手段４１０は、全体削除されたプレイリストファイル（Playlist2）がブリッジクリップデータ記憶手段１０９に記憶されているブリッジクリップファイル（BridgeClip1）にリンクするアイテムファイルが参照しているものかどうかを判定し、そうであればブリッジクリップデータ記憶手段１０９に記憶されている該当するブリッジクリップファイル（BridgeClip1）を削除する（処理３、図１７の経路Ｐ１５−３）。
【００５１】
＜第５の実施の形態＞
図１９は第５の実施の形態の編集装置５００を示し、編集装置５００は図９に示す構成（１０１〜１０９）のほかに、プレイリスト部分削除手段５１１とプレイリスト部分削除依存ブリッジクリップ削除判定手段５１０が追加されている。プレイリスト部分削除手段５１１は、仮想プレイリストファイルＦ４が内包するアイテムファイルＦ３が参照しているプレイリストファイルＦ２を部分削除する既存の手段である。プレイリスト部分削除依存ブリッジクリップ削除判定手段５１０は第５の実施の形態の特有の手段として、プレイリストファイルＦ２が部分削除されたときに、ブリッジクリップデータ記憶手段１０９に記憶されているブリッジクリップファイルＦ５にリンクしていたアイテムファイルＦ３が参照しているプレイリストファイルＦ２かどうかを判定する。
【００５２】
また、経路Ｐ１〜Ｐ１２のほかに、経路Ｐ１３−４は、ユーザからのプレイリスト部分削除動作を受け付ける経路、経路Ｐ１４−４は、部分削除されたプレイリストファイルＦ２が、ブリッジクリップデータ記憶手段１０９に記憶されているブリッジクリップファイルＦ５とリンクしている仮想プレイリストファイルＦ４が参照しているものであり、かつ、部分削除された部分が仮想プレイリストファイルＦ４の参照している部分と重複するかどうかの判定を行う経路である。経路Ｐ１５−４は、部分削除されたプレイリストファイルＦ２が、ブリッジクリップデータ記憶手段１０９に記憶されているブリッジクリップファイルＦ５とリンクしている仮想プレイリストファイルＦ４が参照しているものであり、かつ、部分削除された部分が仮想プレイリストファイルＦ４の参照している部分と重複している場合、再生順の連続性を復活しても正しく再生することは不可能となるので、ブリッジクリップデータ記憶手段１０９に記憶されている該当のブリッジクリップファイルＦ５を削除する経路である。
【００５３】
このシステムはブリッジクリップファイルＦ５にリンクしている、連続するアイテムファイルＦ３の再生順を変更する処理までは第１の実施の形態と同様である。よって、図１２のファイル記憶手段１０３上のファイル構成の状態からの処理を以下に述べる。また、この動作におけるファイル構成を図２０に示す。ファイル構成の初期状態は図１１に相当する。図２０の編集装置５００は図１９と同じものであるが、ファイル構成が分かりやすいように、ファイル記憶手段１０３とブリッジクリップデータ記憶手段１０９のみを切り出して記述してある。
【００５４】
連続するアイテムファイルＦ３の再生順が変更（図１１のItem2とItem3が入れ替わっている）され、ブリッジクリップデータ記憶手段１０９にブリッジクリップファイル（図１６のBridgeClip1）が記憶されている状態で、ユーザからのプレイリストファイル（図１１のPlaylist2）を部分削除する動作を、プレイリスト部分削除手段５１１で受け付け（図１９の経路Ｐ１３−４、図２０でのユーザからのPlaylist2の部分削除動作）、これを実行する（図２０のファイル記憶手段１０３で、Playlist2のアイテムファイル（Item2）参照部分が部分削除されている：処理１）。
【００５５】
プレイリスト部分削除手段５１１は、プレイリストファイル（Playlist2）の部分削除された箇所がブリッジクリップデータ記憶手段１０９に記憶されているブリッジクリップファイル（BridgeClip1）にリンクするものかどうかを判定するために、部分削除されたプレイリストファイル（Playlist2）の識別子とその範囲を引数とし、プレイリスト部分削除依存ブリッジクリップ削除判定手段５１０を起動する（図１９の経路Ｐ１４−４）。プレイリスト部分削除依存ブリッジクリップ削除判定手段５１０は、部分削除されたプレイリストファイル（Playlist2）の箇所がブリッジクリップデータ記憶手段１０９に記憶されているブリッジクリップファイル（BridgeClip1）にリンクするアイテムファイルＦ３が参照しているものかどうかを判定し、そうであればブリッジクリップデータ記憶手段１０９に記憶されている該当するブリッジクリップファイル（BridgeClip1）を削除する（処理３、図１９の経路Ｐ１５−４）。
【００５６】
＜第６の実施の形態＞
図２１は、第６の実施の形態の編集装置６００を示し、編集装置６００は、図９に示す構成のほかに、ブリッジクリップデータ表示選択手段６１０が追加されている。ブリッジクリップデータ表示選択手段６１０は、第６の実施の形態の特有の手段として、ブリッジクリップデータ記憶手段１０９に記憶されている、現在リンクが外れているブリッジクリップデータの一覧をユーザに表示し、選択させるための手段である。また、経路Ｐ１〜Ｐ１２のほかに、経路Ｐ１３−５は、ユーザに、現在、ブリッジクリップデータ記憶手段１０９に記憶されている全てのブリッジクリップファイルＦ５のデータを提示する経路、及びユーザがブリッジクリップデータ表示選択手段６１０から提示されたブリッジクリップファイルＦ５のデータ一覧から、削除する目的で選択されたブリッジクリップファイルを通知する経路、経路Ｐ１５−５は、ブリッジクリップデータ記憶手段１０９に記憶されている該当のブリッジクリップファイルを削除する経路である。
【００５７】
このシステムはブリッジクリップファイルＦ５にリンクしている、連続するアイテムファイルＦ３の再生順を変更する処理までは第１の実施の形態と同様である。よって、図１２のファイル記憶手段１０３上のファイル構成の状態からの処理を以下に述べる。また、この動作におけるファイル構成を図２２に示す。ファイル構成の初期状態は図１１に相当する。図２２の編集装置６００は図２１と同じものであるが、ファイル構成が分かりやすいように、ファイル記憶手段１０３とブリッジクリップデータ記憶手段１０９のみを切り出して記述してある。
【００５８】
連続するアイテムファイルの再生順が変更（図１１のItem2とItem3が入れ替わっている）され、ブリッジクリップデータ記憶手段１０９にブリッジクリップファイル（図１１のBridgeClip1）が記憶されている状態で、ユーザに表示しているブリッジクリップデータ一覧から１つのブリッジクリップデータ（BridgeClip1に対応するブリッジクリップデータ）が選択され、削除を要求する動作を、ブリッジクリップデータ表示選択手段６１０で受け付け（図２１の経路Ｐ１３−５、図２２でのユーザからのBridgeClip2選択削除動作）、ブリッジクリップデータ記憶手段１０９に記憶されているブリッジクリップデータ（BridgeClip2に関するブリッジクリップデータ）を削除する（処理１、図２１の経路Ｐ１５−５）。
【図面の簡単な説明】
【００５９】
【図１】本発明の編集装置で使用するクリップファイルの例を示す説明図である。
【図２】本発明の編集装置で使用するプレイリストファイルの例を示す説明図である。
【図３】本発明の編集装置で使用するアイテムファイルの例を示す説明図である。
【図４】本発明の編集装置で使用する仮想プレイリストファイルの例を示す説明図である。
【図５】本発明の編集装置で使用するブリッジクリップファイルの例を示す説明図である。
【図６】図１〜図５に示す各ファイルの関係を示す説明図である。
【図７】ブリッジクリップファイルを使用した場合のアイテムファイル連続再生を示す説明図である。
【図８】ブリッジクリップファイルを保存する際に使用するブリッジクリップデータの例を示す説明図である。
【図９】本発明の第１の実施の形態の編集装置を示すブロック図である。
【図１０】光ディスクから読み込んだ各ファイルの構成を示す説明図である。
【図１１】光ディスクから読み込まれたアイテムファイルの再生順序が変更されたときの各ファイルの構成を示す説明図である。
【図１２】再生順序を変更されたアイテムファイルが元の順序に戻ったときの各ファイルの構成を示す説明図である。
【図１３】本発明の第２の実施の形態の編集装置を示すブロック図である。
【図１４】光ディスクから読み込まれたアイテムファイルの再生順序が変更された後に、ブリッジクリップファイルとリンクしているアイテムファイルが削除されたときの各ファイルの構成を示す説明図である。
【図１５】本発明の第３の実施の形態の編集装置を示すブロック図である。
【図１６】光ディスクから読み込まれたアイテムファイルの再生順序が変更された後に、ブリッジクリップファイルとリンクしているアイテムファイルを含む仮想プレイリストファイルが削除されたときの各ファイルの構成を示す説明図である。
【図１７】本発明の第４の実施の形態の編集装置を示すブロック図である。
【図１８】光ディスクから読み込まれたアイテムファイルの再生順序が変更された後に、ブリッジクリップファイルとリンクしているアイテムファイルを含む仮想プレイリストファイルが参照しているプレイリストファイルが全体削除されたときの各ファイルの構成を示す説明図である。
【図１９】本発明の第５の実施の形態の編集装置を示すブロック図である。
【図２０】光ディスクから読み込まれたアイテムファイルの再生順序が変更された後に、ブリッジクリップファイルとリンクしているアイテムファイルを含む仮想プレイリストファイルが参照しているプレイリストファイルが部分削除されたときの各ファイルの構成を示す説明図である。
【図２１】本発明の第５の実施の形態の編集装置を示すブロック図である。
【図２２】光ディスクから読み込まれたアイテムファイルの再生順序が変更された後に、保存されているブリッジクリップファイルをユーザが選択して削除したときの各ファイルの構成を示す説明図である。
【符号の説明】
【００６０】
Ｄ  光ディスク
１００、２００、３００、４００、５００、６００  編集装置
１０１  光ディスクドライブ
１０２  光ディスク読み書き手段
１０３  ファイル記憶手段
１０４  ブリッジクリップ必要性判定手段
１０５  アイテムファイル再生順変更手段
１０６  ブリッジクリップ消去手段
１０７  ブリッジクリップ保存処理手段
１０８  ブリッジクリップデータ復元手段
１０９  ブリッジクリップデータ記憶手段
２１０  アイテムファイル削除依存ブリッジクリップ削除判定手段
２１１  アイテムファイル削除手段
３１０  仮想プレイリスト削除依存ブリッジクリップ削除判定手段
３１１  仮想プレイリスト削除手段
４１０  プレイリスト全体削除依存ブリッジクリップ削除判定手段
４１１  プレイリスト全体削除手段
５１０  プレイリスト部分削除依存ブリッジクリップ削除判定手段
５１１  プレイリスト部分削除手段
６１０  ブリッジクリップデータ選択手段
【図１】
0004457357.tif 000002
【図２】
0004457357.tif 000003
【図３】
0004457357.tif 000004
【図４】
0004457357.tif 000005
【図５】
0004457357.tif 000006
【図６】
0004457357.tif 000007
【図７】
0004457357.tif 000008
【図８】
0004457357.tif 000009
【図９】
0004457357.tif 000010
【図１０】
0004457357.tif 000011
【図１１】
0004457357.tif 000012
【図１２】
0004457357.tif 000013
【図１３】
0004457357.tif 000014
【図１４】
0004457357.tif 000015
【図１５】
0004457357.tif 000016
【図１６】
0004457357.tif 000017
【図１７】
0004457357.tif 000018
【図１８】
0004457357.tif 000019
【図１９】
0004457357.tif 000020
【図２０】
0004457357.tif 000021
【図２１】
0004457357.tif 000022
【図２２】
0004457357.tif 000023